(57)【要約】      （修正有）【課題】外観をすっきりさせ、収納空間を拡張できる旅行かばんを提供する。【解決手段】収納量拡張機能付き旅行かばんは第一シェル１０、第二シェル１５、内側ファスナー２０、外側ファスナー４０および内側連結テープ６０を備える。第一シェルは第一開口周縁部１１を有し、第二シェルは第二開口周縁部１６を有する。内側ファスナーは内側エレメントを有し、外側ファスナーは二つの外側テープ４１および外側エレメント４３を有する。二つの外側テープはそれぞれ直線部位４９、先端部位５１および末端部位５３を有する。二つの直線部位は第一開口周縁部および第二開口周縁部に別々に装着される。外側エレメントは二つの外側テープの先端部位の末端に位置する部位と、末端部位の末端に位置する部位とが相互に分離できず封じされる。内側連結テープは内側ファスナーの両端を連結することで内側ファスナーと結合し、環状になる。【選択図】図４
0003209540.tif 000002
【実用新案登録請求の範囲】
【請求項１】
第一シェル、第二シェル、内側ファスナー、外側ファスナーおよび内側連結テープを備え、
前記第一シェルは、第一開口周縁部を有し、
前記第二シェルは、第二開口周縁部を有し、
前記内側ファスナーは、二つの内側テープと、内側エレメントと、少なくとも一つの内側スライダーと、前記内側スライダーに装着された少なくとも一つの内側引手とを有し、二つの前記内側テープは前記第一開口周縁部および前記第二開口周縁部に別々に装着され、前記内側エレメントは二つの前記内側テープに装着され、少なくとも一つの前記内側スライダーは前記内側エレメントを相互に噛み合わせたり、分離させたりするように前記内側エレメントに装着され、前記内側エレメントと前記第一開口周縁部との間の距離は第一距離であり、前記内側エレメントと前記第二開口周縁部との間の距離は第二距離であり、
前記外側ファスナーは、前記内側ファスナーの外周に装着され、二つの外側テープと、外側エレメントと、少なくとも一つの外側スライダーと、前記外側スライダーに装着された少なくとも一つの外側引手とを有し、二つの前記外側テープはそれぞれ直線部位と、前記直線部位に平行せず前記直線部位の一端から伸びて形成された先端部位と、前記直線部位に平行せず前記直線部位の他端から伸びて形成された末端部位とを有し、二つの前記直線部位は前記第一開口周縁部および前記第二開口周縁部に別々に装着され、前記外側エレメントは二つの前記外側テープに装着され、少なくとも一つの前記外側スライダーは前記外側エレメントを相互に噛み合わせたり、分離させたりするように前記外側エレメントに装着され、前記外側エレメントは二つの前記外側テープの前記先端部位の末端に位置する部位と、二つの前記外側テープの前記末端部位の末端に位置する部位とが相互に分離できず封じされ、前記外側エレメントは二つの前記外側テープの前記直線部位に位置する部位と前記第一開口周縁部との間の距離が第三距離であり、二つの前記外側テープの前記直線部位に位置する部位と前記第二開口周縁部との間の距離が第四距離であり、前記第三距離は前記第一距離より小さく、前記第四距離は前記第二距離より小さく、
前記内側連結テープは、両側によって前記第一開口周縁部および前記第二開口周縁部を連結し、前記内側ファスナーの両端を連結することによって前記内側ファスナーと結合し、環状になることを特徴とする収納量拡張機能付き旅行かばん。
【請求項２】
二つの前記外側テープの前記先端部位および前記末端部位は、前記内側連結テープに配置されることを特徴とする請求項１に記載の収納量拡張機能付き旅行かばん。
【請求項３】
さらに二つの固定部を備え、
二つの前記固定部は、一側が二つの前記外側テープの前記先端部位および前記末端部位を連結し、他側が前記第一開口周縁部または前記第二開口周縁部を連結することを特徴とする請求項１に記載の収納量拡張機能付き旅行かばん。
【請求項４】
前記第一距離と前記第二距離とはほぼ一致することを特徴とする請求項１に記載の収納量拡張機能付き旅行かばん。
【請求項５】
前記外側エレメントは、二つの前記外側テープの前記先端部位の末端に位置する部位と前記第一開口周縁部との間の距離が第五距離であり、二つの前記外側テープの前記先端部位の末端に位置する部位と前記第二開口周縁部との間の距離が第六距離であり、前記第一距離、前記第五距離および前記第六距離はほぼ一致することを特徴とする請求項４に記載の収納量拡張機能付き旅行かばん。
【請求項６】
前記第三距離と前記第四距離とはほぼ一致することを特徴とする請求項１に記載の収納量拡張機能付き旅行かばん。
【請求項７】
さらに外側連結テープを備え、
前記外側連結テープは、前記内側連結テープの外側に装着され、かつ前記外側ファスナーの両端を連結することによって前記外側ファスナーと結合し、環状になることを特徴とする請求項１に記載の収納量拡張機能付き旅行かばん。
【請求項８】
前記外側連結テープの長さは前記内側連結テープの長さより小さいことを特徴とする請求項７に記載の収納量拡張機能付き旅行かばん。
【請求項９】
前記外側連結テープは、両側によって前記第一開口周縁部および前記第二開口周縁部を連結することを特徴とする請求項７に記載の収納量拡張機能付き旅行かばん。
【請求項１０】
前記内側ファスナーは、二つの前記内側スライダーおよび二つの前記内側引手を有し、前記外側ファスナーは、二つの前記外側スライダーおよび二つの前記外側引手を有し、
さらにロックを備え、
前記ロックは、ロック本体、嵌合機構、四つのスリットおよび制御ユニットを有し、前記ロック本体は前記第一シェルに装着され、前記嵌合機構は前記ロック本体に配置され、二つの前記内側引手および二つの前記外側引手をロックし、四つの前記スリットは前記ロック本体に配置され、二つの前記内側引手および二つの前記外側引手は四つの前記スリットに差し込まれ、前記制御ユニットは前記ロック本体に配置され、前記嵌合機構の解放およびロックを制御することを特徴とする請求項１に記載の収納量拡張機能付き旅行かばん。
【請求項１１】
前記外側ファスナーは、二つの前記外側スライダーおよび二つの前記外側引手を有し、
さらにサイドロックを備え、
前記サイドロックは、ロック本体、嵌合機構、二つのスリットおよび制御ユニットを有し、前記ロック本体は前記第一シェルに装着され、前記嵌合機構は前記ロック本体に配置され、二つの前記外側引手をロックし、二つの前記スリットは前記ロック本体に配置され、二つの前記外側引手は二つの前記スリットに差し込まれ、前記制御ユニットは前記ロック本体に配置され、前記嵌合機構の解放およびロックを制御することを特徴とする請求項１に記載の収納量拡張機能付き旅行かばん。
【考案の詳細な説明】
【技術分野】
【０００１】
本考案は、旅行かばん、特に収納量拡張機能付き旅行かばんに関するものである。
【背景技術】
【０００２】
市販の色々な種類の旅行かばんの中では、荷物の損壊率を下げるために耐荷重および耐衝撃性を備えるハードケースがよく選ばれる。一部の収納量拡張機能付きハードケースは一定した収納空間まで拡張できる。現有の収納量拡張機能付き旅行かばんは二つのファスナーを有する。一つは開閉のためのファスナーであり、もう一つは収納空間を拡張するためのファスナーである。この二つのファスナーは使用されても使用されなくても外部に露出するため、旅行かばんの外観は比較的複雑だけでなく、すっきりしない。従って、現有の旅行かばんは収納量拡張機能およびすっきりした外観を兼ね備えることができない。
【考案の概要】
【考案が解決しようとする課題】
【０００３】
本考案は、ハードケースに適用し、収納空間を拡張し、外観をすっきりさせ、使用の便をはかることができる収納量拡張機能付き旅行かばんを提供することを主な目的とする。
【課題を解決するための手段】
【０００４】
上述した課題を解決するため、収納量拡張機能付き旅行かばんは第一シェル、第二シェル、内側ファスナー、外側ファスナーおよび内側連結テープを備える。第一シェルは第一開口周縁部を有する。第二シェルは第二開口周縁部を有する。内側ファスナーは二つの内側テープと、内側エレメントと、少なくとも一つの内側スライダーと、内側スライダーに装着された少なくとも一つの内側引手とを有する。二つの内側テープは第一開口周縁部および第二開口周縁部に別々に装着される。内側エレメントは二つの内側テープに装着される。少なくとも一つの内側スライダーは内側エレメントを相互に噛み合わせたり、分離させたりするように内側エレメントに装着される。内側エレメントと第一開口周縁部との間の距離は第一距離である。内側エレメントと第二開口周縁部との間の距離は第二距離である。外側ファスナーは二つの外側テープと、外側エレメントと、少なくとも一つの外側スライダーと、外側スライダーに装着された少なくとも一つの外側引手とを有する。二つの外側テープはそれぞれ直線部位、直線部位に平行せず直線部位の一端から伸びて形成された先端部位と、直線部位に平行せず直線部位の他端から伸びて形成された末端部位とを有する。二つの直線部位は第一開口周縁部および第二開口周縁部に別々に装着される。外側エレメントは二つの外側テープに装着される。少なくとも一つの外側スライダーは外側エレメントを相互に噛み合わせたり、分離させたりするように外側エレメントに装着される。外側エレメントは二つの外側テープの先端部位の末端に位置する部位と、二つの外側テープの末端部位の末端に位置する部位とが相互に分離できず封じされる。外側エレメントは二つの外側テープの直線部位に位置する部位と第一開口周縁部との間の距離が第三距離であり、二つの外側テープの直線部位に位置する部位と第二開口周縁部との間の距離が第四距離である。第三距離は第一距離より小さい。第四距離は第二距離より小さい。外側ファスナーは内側ファスナーの外周に位置する。内側連結テープは両側によって第一開口周縁部および第二開口周縁部を連結し、内側ファスナーの両端を連結することによって内側ファスナーと結合し、環状になる。
【０００５】
上述した構造により、使用状態に応じて旅行かばんを簡単に開閉したり、旅行かばんの収納空間を拡張したりすることができる。収納空間を拡張する必要がない場合、旅行かばんは外観がすっきりするため、一般の旅行かばんとは変わらない。
【図面の簡単な説明】
【０００６】
【図１】本考案の第１実施形態による旅行かばんの内側ファスナーが閉められた状態を示す斜視図である。
【図２】本考案の第１実施形態による旅行かばんの内側ファスナーが閉められた状態を示す別の一つの斜視図である。
【図３】図２中の３−３線に沿った断面図である。
【図４】本考案の第１実施形態による旅行かばんの内側ファスナーが閉められた状態を示す側面図の一部分である。
【図５】本考案の第１実施形態による旅行かばんの外側ファスナーが閉められた状態を示す側面図である。
【図６】本考案の第１実施形態による旅行かばんの外側ファスナーが閉められた状態を示す別の一つの側面図である。
【図７】図６中の７−７線に沿った断面図である。
【図８】本考案の第１実施形態による旅行かばんのロックを示す斜視図である。
【図９】本考案の第１実施形態による旅行かばんのロックおよび内側ファスナーを示す断面図である。
【図１０】本考案の第１実施形態による旅行かばんのサイドロックを示す斜視図である
【図１１】本考案の第２実施形態による旅行かばんを示す側面図である。
【図１２】図１１中の１２−１２線に沿った断面図である。
【考案を実施するための形態】
【０００７】
（第１実施形態）
図１および図２に示すように、本考案の第１実施形態による収納量拡張機能付き旅行かばん１は、第一シェル１０、第二シェル１５、内側ファスナー２０、外側ファスナー４０、内側連結テープ６０、外側連結テープ６５、ロック７０およびサイドロック８０を備える。
【０００８】
第一シェル１０は、第一開口周縁部１１を有する。第二シェル１５は第二開口周縁部１６を有する。第一シェル１０および第二シェル１５は金属、プラスチック材または繊維強化プラスチック材から製作されたハードシェル、布製、革製品から製作されたソフトシェル、前記を組み合わせたシェルまたは別の可塑性材質から製作されたシェルである。
【０００９】
内側ファスナー２０は、二つの内側テープ２１と、内側エレメント２３と、二つの内側スライダー２５と、二つの内側スライダー２５に装着された引手２７とを有する。二つの内側テープ２１は第一開口周縁部１１および第二開口周縁部１６に別々に装着される。内側エレメント２３は二つの内側テープ２１上の第一開口周縁部１１および第二開口周縁部１６から離れる両側に装着される。二つの内側スライダー２５は内側エレメント２３に装着され、二つの内側テープ２１の両端の間を往復移動するすることによって内側エレメント２３を相互に噛み合わせたり、分離させたりする。図３に示すように、内側エレメント２３と第一開口周縁部１１との間の距離は第一距離Ｄ１である。内側エレメント２３と第二開口周縁部１６との間の距離は第二距離Ｄ２である。第一距離Ｄ１と第二距離Ｄ２とはほぼ一致する。
【００１０】
本実施形態において、二つの内側テープ２１はそれぞれ一体化されるが、これに限らない。別の実施形態において、幅が足りない内側テープ２１は二つの拡張テープ（図中未表示）によって第一開口周縁部１１および第二開口周縁部１６を連結する。
【００１１】
図４および図５に示すように、外側ファスナー４０は内側ファスナー２０の外周に配置され、二つの外側テープ４１と、外側エレメント４３と、二つの外側スライダー４５と、二つの外側スライダー４５に装着された引手４７とを有する。二つの外側テープ４１はそれぞれ直線部位４９、直線部位４９に平行せず直線部位４９の一端から伸びて形成された先端部位５１と、直線部位４９に平行せず直線部位４９の他端から伸びて形成された末端部位５３とを有する。二つの直線部位４９は第一開口周縁部１１および第二開口周縁部１６に別々に装着される。外側エレメント４３は二つの外側テープ４１に装着される。二つの外側スライダー４５は外側エレメント４３に装着され、二つの外側テープ４１の両端の間を往復移動することによって外側エレメント４３を相互に噛み合わせたり、分離させたりする。外側エレメント４３は二つの外側テープ４１の先端部位５１の末端に位置する部位と、二つの外側テープ４１の末端部位５３の末端に位置する部位とが相互に分離できず封じされる。詳しく言えば、二つの外側スライダー４５が二つの外側テープ４１の先端部位５１の末端および末端部位５３の末端までスライドすれば、図４に示すように、二つの外側テープ４１の先端部位５１の先端から末端までの二つの連結線と、二つの外側テープ４１の末端部位５３の先端から末端までの二つの連結線とはそれぞれ二つの直線部位４９に相対して斜めに伸びる。図７に示すように、外側エレメント４３は二つの外側テープ４１の直線部位４９に位置する部位と第一開口周縁部１１との間の距離が第三距離Ｄ３であり、二つの外側テープ４１の直線部位４９に位置する部位と第二開口周縁部１６との間の距離が第四距離Ｄ４である。第三距離Ｄ３は第一距離Ｄ１より小さい。第四距離Ｄ４は第二距離Ｄ２より小さい。図１および図２に示すように、二つの外側テープ４１および二つの内側テープ２１が同時に展開されれば、二つの内側テープ２１の一部分、二つの内側スライダー２５および内側エレメント２３が露出する。本実施形態において、第三距離Ｄ３と第四距離Ｄ４とはほぼ一致する。つまり、二つの外側スライダー４５は第一開口周縁部１１と第二開口周縁部１６の中間に位置する。二つの外側引手４７を引っ張れば二つの外側スライダー４５をスライドさせることができる。第三距離Ｄ３と第四距離Ｄ４とはほぼ一致するが、これに限らない。別の実施形態において、二つの外側スライダー４５をスムーズにスライドさせることさえできれば、第三距離Ｄ３と第四距離Ｄ４とが一致しなくてもよい。図４に示すように、外側エレメント４３は二つの外側テープ４１の先端部位５１の末端および末端部位５３の末端に位置する部位と第一開口周縁部１１との間の距離が第五距離Ｄ５であり、二つの外側テープ４１の先端部位５１の末端および末端部位５３の末端に位置する部位と第二開口周縁部１６との間の距離が第六距離Ｄ６である。第一距離Ｄ１、第二距離Ｄ２、第五距離Ｄ５および第六距離Ｄ６はほぼ一致する。つまり、二つの外側テープ４１の先端部位５１の末端および末端部位５３の末端は内側連結テープ６０の中央に位置する。二つの外側スライダー４５は二つの外側テープ４１の直線部位４９、先端部位５１の末端と末端部位５３の末端との間をスムーズに往復移動できる。
【００１２】
内側エレメント２３において、第一開口周縁部１１との間の距離は封じされた内側エレメント２３の中央境界線から第一開口周縁部１１までの距離であるが、これに限らず、内側エレメント２３と連結した内側テープ２１の一側または内側エレメント２３から離れる他側から第一開口周縁部１１までの距離であってもよい。第二開口周縁部１６との間の距離は封じされた内側エレメント２３の中央境界線から第二開口周縁部１６までの距離であるが、これに限らず、内側エレメント２３と連結した内側テープ２１の一側または内側エレメント２３から離れる他側から第二開口周縁部１６までの距離であってもよい。外側エレメント４３において、第一開口周縁部１１との間の距離は封じされた外側エレメント４３の中央境界線から第一開口周縁部１１までの距離であるが、これに限らず、外側エレメント４３と連結した外側テープ４１の一側または外側エレメント４３から離れる他側から第一開口周縁部１１までの距離であってもよい。第二開口周縁部１６との間の距離は封じされた外側エレメント４３の中央境界線から第二開口周縁部１６までの距離であるが、これに限らず、外側エレメント４３と連結した外側テープ４１の一側または外側エレメント４３から離れる他側から第二開口周縁部１６までの距離であってもよい。
【００１３】
図２および図４に示すように、内側連結テープ６０は両側によって第一開口周縁部１１および第二開口周縁部１６を連結し、かつ内側ファスナー２０の両端を連結することによって内側ファスナー２０と結合し、環状になる。本実施形態において、二つの外側テープ４１の先端部位５１および末端部位５３は縫い線によって内側連結テープ６０に配置される。内側ファスナー２０は旅行かばん１の四辺を囲む。内側連結テープ６０は旅行かばん１の一側に配置され、第一シェル１０および第二シェル１５を展開したり結合させたりすることができる。別の実施形態において、第一シェル１０および第二シェル１５をスムーズに展開したり、結合させたりすることさえできれば、内側連結テープ６０を延長し、内側ファスナー２０で旅行かばん１の三辺を囲むことができる。
【００１４】
図２および図４に示すように、外側連結テープ６５は内側連結テープ６０の外側に装着され、かつ外側ファスナー４０の両端を連結することによって外側ファスナー４０と結合し、環状になる。本実施形態において、外側連結テープ６５は長さが内側連結テープ６０の長さより小さい。内側連結テープ６０の長さは使用状況に応じて調整されることができる。外側連結テープ６５は外側ファスナー４０を固定し、外側ファスナー４０の両端の下止（図中未表示）を遮蔽するが、これに限らない。外側連結テープ６５は両側によって第一開口周縁部１１および第二開口周縁部１６を連結することによって外側ファスナー４０を安定させることができる。別の実施形態において、内側連結テープ６０に外側ファスナー４０の両端を確実に固定することさえできれば、外側連結テープ６５が配置されなくてもよい。
【００１５】
図１、図５、図８および図９に示すように、ロック７０はロック本体７１、嵌合機構７３、四つのスリット７５および制御ユニット７７を有する。ロック本体７１は第一シェル１０に装着される。嵌合機構７３はロック本体７１に配置され、二つの内側引手２７および二つの外側引手４７をロックする。四つのスリット７５はロック本体７１に配置される。二つの内側引手２７および二つの外側引手４７は四つのスリット７５に差し込まれる。制御ユニット７７はロック本体７１に配置され、嵌合機構７３の解放およびロックを制御する。本実施形態において、制御ユニット７７の往復移動によって嵌合機構７３は四つのスリット７５に差し込まれる二つの内側引手２７および二つの外側引手４７をロックまたは解放する。二つの内側引手２７および二つの外側引手４７は規格が同じである。四つのスリット７５の中の二つのスリット７５は内側ファスナー２０に近い。二つの内側引手２７は内側ファスナー２０に近い二つのスリット７５に差し込まれる。二つの外側引手４７は内側ファスナー２０から遠い二つのスリット７５に差し込まれる。つまり、二つの内側引手２７および二つの外側引手４７はすべて四つのスリット７５に入り込む。ロック７０は内側ファスナー２０および外側ファスナー４０が勝手に開けられることを防止する。別の実施形態において、収納量拡張機能に影響を与えることさえなければ、ロック７０が配置されなくてもよい。ロック７０は第二シェル１５に装着されてもよい。ロック７０は配置位置が必ずしも旅行かばん１の内側連結テープ６０に相対する一側であるとは限らず、外側ファスナー４０に近い位置であれば好ましい。
【００１６】
図２、図４、図６および図１０に示すように、サイドロック８０はロック本体８１、嵌合機構８３、二つのスリット８５および制御ユニット８７を有する。ロック本体８１は第一シェル１０に装着され、かつ外側連結テープ６５の横に据えられる。嵌合機構８３はロック本体８１に配置され、二つの外側引手４７をロックする。二つのスリット８５はロック本体８１に配置される。二つの外側引手４７は二つのスリット８５に差し込まれる。制御ユニット８７はロック本体８１に配置され、嵌合機構８３の解放およびロックを制御する。本実施形態において、制御ユニット８７の往復移動によって嵌合機構８３は二つのスリット８５に差し込まれる二つの外側引手４７をロックまたは解放する。二つの外側スライダー４５が外側ファスナー４０の両端までスライドする際、サイドロック８０は二つの外側引手４７を固定し、二つの外側引手４７の振れを抑制する。別の実施形態において、サイドロック８０は配置されなくても収納量拡張機能に影響を与えることがない。また、サイドロック８０は第二シェル１５に装着されてもよいが、二つの外側テープ４１の先端部位５１の末端および末端部位５３の末端の横に位置しなければならない。
【００１７】
図２および図４に示すように、二つの外側引手４７の作動によって二つの外側スライダー４５が二つの外側テープ４１の先端部位５１の末端および末端部位５３の末端に背いてスライドすれば、第一シェル１０および第二シェル１５が相互に接近する。二つの外側スライダー４５が二つの外側テープ４１の直線部位４９までスライドすると、図７に示すように、第一シェル１０と第二シェル１５との間の距離が第三距離Ｄ３と第四距離Ｄ４の和に等しい。続いて、二つの外側スライダー４５および二つの外側引手４７をロック７０の横まで移動させれば、図５に示すように、二つの外側引手４７をロック７０に嵌め込んでロックすることができる。二つの外側ファスナー４０が完全に締められる際、二つの外側ファスナー４０は二つの内側ファスナー２０を遮蔽し、表に残る。上述したとおり、旅行かばん１の収納量拡張機能を使用する必要がない場合、旅行かばん１の外観は一般の旅行かばんとは変わらず、すっきりする。一方、外側ファスナー４０が開けられ、二つの外側スライダー４５が内側連結テープ６０を有する旅行かばん１の一側までスライドすれば、第二シェル１５に相対して第一シェル１０をスウィングさせることができる、即ち旅行かばん１を完全に展開できる。
【００１８】
旅行かばん１の中の荷物が多すぎたことが原因で外側ファスナー４０を締めて旅行かばん１を閉じることができない場合、図１および図２に示すように、二つの外側スライダー４５を二つの外側テープ４１の先端部位５１の末端および末端部位５３の末端に位置させたうえで、二つの内側引手２７の作動によって二つの内側スライダー２５を二つの内側テープ２１の末端と反対方向にスライドさせれば、図３に示すように、第一シェル１０と第二シェル１５との間の距離が第一距離Ｄ１と第二距離Ｄ２の和に等しい、即ち外側ファスナー４０を締めて旅行かばん１を閉じて形成した収納空間より収納空間が大きいため、多くの荷物を収納することができる。一方、二つの内側スライダー２５は第一開口周縁部１１と第二開口周縁部１６の中間に据えられる。第一距離Ｄ１は第三距離Ｄ３より大きい。第二距離Ｄ２は第四距離Ｄ４より大きい。従って、二つの内側引手２７は作動しても二つの外側ファスナー４０または第一開口周縁部１１および第二開口周縁部１６の妨害を受けることがない。別の実施形態において、二つの外側スライダー４５をスムーズにスライドさせることさえできれば、第一距離Ｄ１と第二距離Ｄ２とは一致しなくてもよい。
【００１９】
上述した構造により、旅行かばん１は収納量が二つのタイプである。図５および図６に示すように、内側ファスナー２０を開け、外側ファスナー４０で旅行かばん１を開閉する場合、旅行かばん１の収納容量は通常のとおりである。図１および図２に示すように、外側ファスナー４０を開け、内側ファスナー２０で旅行かばん１を開閉する場合、旅行かばん１の収納容量は拡張される。一方、内側ファスナー２０および外側ファスナー４０で旅行かばん１を閉める場合、旅行かばん１は二層のファスナーによる二重の盗難効果を有するため、外部から尖鋭物で内側ファスナー２０および外側ファスナー４０を開くことが難しい。また内側ファスナー２０および外側ファスナー４０のいずれか一つが壊れても、別の一つの壊れていないファスナーで旅行かばん１を開閉することができる。詳しく言えば、内側ファスナー２０および外側ファスナー４０を利用すれば収納空間を調整し、使用の便をはかることができる。内側ファスナー２０または外側ファスナー４０が締められた旅行かばん１は外観が非常にすっきりする。
【００２０】
（第２実施形態）
本考案の精神に基づいて旅行かばん１の構造を変えることができる。例えば、第１実施形態において、外側テープ４１の先端部位５１および末端部位５３は内側連結テープ６０に配置される。二つの外側テープ４１の先端部位５１および末端部位５３の配置方式は第１実施形態により掲示された通りであるが、これに限らず変わってもよい。図１１および図１２に示したのは本考案の第２実施形態による旅行かばん１'である。第１実施形態との違いは次の通りである。旅行かばん１'はさらに二つの固定部９０を備える。固定部９０は一側が二つの外側テープ４１の先端部位５１および末端部位５３を連結し、他側が第一開口周縁部１１または第二開口周縁部１６を連結するため、二つの外側テープ４１の先端部位５１および末端部位５３を内側連結テープ６０に縫製する工程が必要ではない。別の一実施形態において、二つの外側テープ４１の先端部位５１、末端部位５３は第一開口周縁部１１および第二開口周縁部１６に連結され、幅が直線部位４９の幅と異なる。旅行かばん１を開閉する際、内側ファスナー２０に装着された二つの内側スライダー２５および二つの内側引手２７と、外側ファスナー４０に装着された二つの外側スライダー４５および二つの外側引手４７とによって使用の便をはかることができる。別の一実施形態において、内側ファスナー２０は一つの内側スライダー２５または一つの内側引手２７しかない。外側ファスナー４０は一つの外側スライダー４５または一つの外側引手４７しかない。ロック７０のスリット７５の数および嵌合機構７３の構造と、サイドロック８０のスリット８５の数および嵌合機構８３の構造とは状況に応じて調整される。
【００２１】
以上、本考案は、上記実施形態になんら限定されるものではなく、考案の趣旨を逸脱しない範囲において種々の形態で実施可能である。
【符号の説明】
【００２２】
１、１'：旅行かばん、  
１０：第一シェル、  
１１：第一開口周縁部、  
１５：第二シェル、  
１６：第二開口周縁部、  
２０：内側ファスナー、  
２１：内側テープ、  
２３：内側エレメント、  
２５：内側スライダー、  
２７：内側引手、  
４０：外側ファスナー、  
４１：内側テープ、  
４３：内側エレメント、  
４５：内側スライダー、  
４７：内側引手、  
４９：直線部位、  
５１：先端部位、  
５３：末端部位、  
６０：内側連結テープ、  
６５：外側連結テープ、  
７０：ロック、  
７１：ロック本体、  
７３：嵌合機構、  
７５：スリット、  
７７：制御ユニット、  
８０：サイドロック、  
８１：ロック本体、  
８３：嵌合機構、  
８５：スリット、  
８７：制御ユニット、  
９０：固定部、  
Ｄ１：第一距離、  
Ｄ２：第二距離、  
Ｄ３：第三距離、  
Ｄ４：第四距離、  
Ｄ５：第五距離、  
Ｄ６：第六距離
【図１】
0003209540.tif 000003
【図２】
0003209540.tif 000004
【図３】
0003209540.tif 000005
【図４】
0003209540.tif 000006
【図５】
0003209540.tif 000007
【図６】
0003209540.tif 000008
【図７】
0003209540.tif 000009
【図８】
0003209540.tif 000010
【図９】
0003209540.tif 000011
【図１０】
0003209540.tif 000012
【図１１】
0003209540.tif 000013
【図１２】
0003209540.tif 000014